(57)【要約】【課題】処置具起上片を遠隔操作するための起上片操作ワイヤが挿通されたガイド管の基端位置を、操作部に対して容易に再調整して組み付けることができる作業性のよい内視鏡の処置具起上装置を提供すること。【解決手段】ガイド管８，９の基端面に当接する螺動ストッパ２４を、起上片操作ワイヤ７が緩く通過する貫通孔が軸線位置に形成されたネジ部材により形成し、操作部４に固定的に配置されたストッパ座２１に螺動ストッパ２４を螺合させて、螺動ストッパ２４を軸線周りに回転させることにより、螺動ストッパ２４が軸線方向に移動してガイド管８，９の基端部の位置決めを調整することができるようにした。【選択図】      図１
2006000334.tif 000002
【特許請求の範囲】
【請求項１】
挿入部の先端に配置された処置具起上片を上記挿入部の基端に連結された操作部から遠隔操作するための起上片操作ワイヤが、上記挿入部内に全長にわたって挿通配置されたガイド管内に軸線方向に進退自在に挿通された内視鏡の処置具起上装置において、
上記ガイド管の基端面に当接する螺動ストッパを、上記起上片操作ワイヤが緩く通過する貫通孔が軸線位置に形成されたネジ部材により形成し、上記操作部に固定的に配置されたストッパ座に上記螺動ストッパを螺合させて、上記螺動ストッパを軸線周りに回転させることにより、上記螺動ストッパが軸線方向に移動して上記ガイド管の基端部の位置決めを調整することができるようにしたことを特徴とする内視鏡の処置具起上装置。
【請求項２】
上記ガイド管の大半の部分が密着巻きコイルパイプによって形成されている請求項１記載の内視鏡の処置具起上装置。
【請求項３】
上記螺動ストッパが、上記起上片操作ワイヤを通すための貫通孔が軸線位置に形成されたボルト状に形成されている請求項１又は２記載の内視鏡の処置具起上装置。
【請求項４】
上記ストッパ座が、上記螺動ストッパと螺合する雌ネジが一端に形成された筒状部を有している請求項３記載の内視鏡の処置具起上装置。
【請求項５】
上記ガイド管の基端部分に、上記ストッパ座に対して軸線方向にスライド自在であるが軸線周りへの回転は阻止する回転止め手段が設けられている請求項１、２、３又は４記載の内視鏡の処置具起上装置。
【発明の詳細な説明】
【技術分野】
【０００１】
この発明は内視鏡の処置具起上装置に関する。
【背景技術】
【０００２】
内視鏡の処置具起上装置においては一般に、挿入部の先端に配置された処置具起上片を挿入部の基端に連結された操作部から遠隔操作するための起上片操作ワイヤが、挿入部内に全長にわたって挿通配置されたガイド管内に軸線方向に進退自在に挿通されている。
【０００３】
そのようなガイド管としては一般に密着巻きコイルパイプが用いられ、挿入部が屈曲した時にガイド管が挿入部内で引き攣れた状態にならないよう、ガイド管は、挿入部が真っ直ぐな状態のときに挿入部内において少し波打った状態になる程度に、操作部側から挿入部内に数ミリメートルだけ押し込まれた状態に組み立てられている。
【０００４】
したがって、ガイド管の基端は操作部内において厳密に位置決めする必要があり、従来は、ガイド管の基端にロー付けや半田付け等により取り付けられた基端口金を、操作部に固定的に設けられた受け部材に側方から嵌め込んで、基端口金を軸線方向に移動しないように操作部に係止させていた（例えば、特許文献１）。
【特許文献１】特公平４−４５１７７
【発明の開示】
【発明が解決しようとする課題】
【０００５】
上述のように、ガイド管の基端は操作部内において厳密に位置決めする必要があるので、一度組み付けた後に再調整する必要が生じることがしばしばある。
すると、上述のような従来の内視鏡の処置具起上装置においては、ガイド管の基端部分に対する基端口金の位置を微動させた状態にロー付けや半田付けをやり直す必要があるため、調整作業が面倒で手間がかかり非常に作業性が悪かった。
【０００６】
そこで本発明は、処置具起上片を遠隔操作するための起上片操作ワイヤが挿通されたガイド管の基端位置を、操作部に対して容易に再調整して組み付けることができる作業性のよい内視鏡の処置具起上装置を提供することを目的とする。
【課題を解決するための手段】
【０００７】
上記の目的を達成するため、本発明の内視鏡の処置具起上装置は、挿入部の先端に配置された処置具起上片を挿入部の基端に連結された操作部から遠隔操作するための起上片操作ワイヤが、挿入部内に全長にわたって挿通配置されたガイド管内に軸線方向に進退自在に挿通された内視鏡の処置具起上装置において、ガイド管の基端面に当接する螺動ストッパを、起上片操作ワイヤが緩く通過する貫通孔が軸線位置に形成されたネジ部材により形成し、操作部に固定的に配置されたストッパ座に螺動ストッパを螺合させて、螺動ストッパを軸線周りに回転させることにより、螺動ストッパが軸線方向に移動してガイド管の基端部の位置決めを調整することができるようにしたものである。
【０００８】
なお、ガイド管の大半の部分が密着巻きコイルパイプによって形成されているものであってもよい。
そして、螺動ストッパが、起上片操作ワイヤを通すための貫通孔が軸線位置に形成されたボルト状に形成されていてもよく、その場合、ストッパ座が、螺動ストッパと螺合する雌ネジが一端に形成された筒状部を有していてもよい。
【０００９】
また、ガイド管の基端部分に、ストッパ座に対して軸線方向にスライド自在であるが軸線周りへの回転は阻止する回転止め手段が設けられていてもよい。
【発明の効果】
【００１０】
本発明によれば、ガイド管の基端面に当接する螺動ストッパを、起上片操作ワイヤが緩く通過する貫通孔が軸線位置に形成されたネジ部材により形成し、操作部に固定的に配置されたストッパ座に螺動ストッパを螺合させて、螺動ストッパを軸線周りに回転させることにより、螺動ストッパが軸線方向に移動してガイド管の基端部の位置決めを調整することができるようにしたので、処置具起上片を遠隔操作するための起上片操作ワイヤが挿通されたガイド管の基端位置を、操作部に対して容易に再調整して組み付けることができる。
【発明を実施するための最良の形態】
【００１１】
挿入部の先端に配置された処置具起上片を挿入部の基端に連結された操作部から遠隔操作するための起上片操作ワイヤが、挿入部内に全長にわたって挿通配置されたガイド管内に軸線方向に進退自在に挿通された内視鏡の処置具起上装置において、ガイド管の基端面に当接する螺動ストッパを、起上片操作ワイヤが緩く通過する貫通孔が軸線位置に形成されたネジ部材により形成し、操作部に固定的に配置されたストッパ座に螺動ストッパを螺合させて、螺動ストッパを軸線周りに回転させることにより、螺動ストッパが軸線方向に移動してガイド管の基端部の位置決めを調整することができるようにする。
【実施例】
【００１２】
図面を参照して本発明の実施例を説明する。
図３は内視鏡を示しており、可撓管によって外装された可撓性の挿入部１の先端付近には、多数の節輪をリベットで傾動自在に連結した骨組み構成の湾曲部１ａが形成されている。
【００１３】
湾曲部１ａの先端部分（即ち、挿入部１の最先端部分）には、観察窓や照明窓が配置された先端部本体２が連結されていて、先端部本体２から外方に突出される処置具１００の先端部分１００ａの突出方向を変えるための処置具起上片３が、先端部本体２に可動に配置されている。なお、処置具１００は、挿入部１内に全長にわたって挿通配置されている処置具挿通チャンネル内に挿脱される。
【００１４】
挿入部１の基端に連結された操作部４には、湾曲部１ａを遠隔的に屈曲操作するための湾曲部操作ノブ５が配置されていて、湾曲部操作ノブ５を操作することにより湾曲部１ａを任意の方向に任意の角度だけ屈曲させることができる。
【００１５】
また、図３に矢印で示されるように、操作部４に配置された起上片操作レバー６を回動操作すると、それによって起上片操作ワイヤ７が軸線方向に進退操作されて処置具起上片３が駆動され、先端部本体２からの処置具１００の先端部分１００ａの突出方向を任意に変えることができる。
【００１６】
起上片操作ワイヤ７は、挿入部１内に全長にわたって挿通配置された密着巻きコイルパイプからなるガイドコイル８（ガイド管）内に軸線方向に進退自在に挿通配置されており、ガイドコイル８は、先端が先端部本体２に固定されて基端が操作部４に固定され、挿入部１が真っ直ぐの状態のとき挿入部１内で少し波打った状態になる程度に、操作部４側から押し込まれた状態に組み込まれている。
【００１７】
図４は、内視鏡の処置具起上装置の操作部４内における構成を示しており、１０は、起上片操作レバー６と起上片操作ワイヤ７とを連結するピストン状部材、１１はピストン状部材１０が軸線方向にスライド自在に嵌挿されたシリンダ状部材であり、２０は、ガイドコイル８の基端部分を操作部４のフレーム４ａに対して調整可能に位置決め固定するガイド管固定部である。
【００１８】
図１は、そのようなガイド管固定部２０を示しており、２１は、操作部４のフレーム４ａに対してビス止め固定されているストッパ座である。なお、この実施例においては、製造を容易にするために、ストッパ座２１が、フレーム４ａにビス止め固定されたフレーム固定部２１Ａと、軸線方向をフレーム４ａに対して平行に向けてフレーム固定部２１Ａに係止されたストッパ支持部２１Ｂの二部品に分けて構成されている。
【００１９】
そして、図１におけるＶ−Ｖ断面を図示する図５にも示されるように、操作部４のフレーム４ａに対して垂直方向にフレーム固定部２１Ａに形成されたＵ字状の係合溝とストッパ支持部２１Ｂの外周部に形成された円周溝とが係合して、ストッパ支持部２１Ｂが軸線方向に移動しない状態にフレーム固定部２１Ａと係合している。
【００２０】
ガイドコイル８の基端部には、図１におけるVI−VI断面を図示する図６にも示されるように、１８０°対称の位置に一対の耳片９ａ（回転止め手段）が側方に突出形成された基端口金９がロー付け等によって固着され、起上片操作ワイヤ７を挿通案内するガイド管がガイドコイル８と基端口金９とで構成されていて、基端口金９の外端面がガイド管の基端面になっている。
【００２１】
ストッパ座２１のストッパ支持部２１Ｂの先側半部には、基端口金９の耳片９ａがスライド自在に嵌まるスリット２２が軸線と平行方向に形成されている。したがって、基端口金９はストッパ支持部２１Ｂに対して軸線周りには回転できないが軸線方向にはスライド自在である。
【００２２】
円筒状に形成されているストッパ支持部２１Ｂの基端近傍部分には、内面部に雌ネジが形成され外面部に雄ネジが形成されていて、その外面雄ネジ部には、シリンダ状部材１１の先端部分が着脱自在に螺合連結されている。
【００２３】
また、ストッパ支持部２１Ｂの内面雌ネジ部には、起上片操作ワイヤ７が緩く通過する貫通孔が軸線位置に形成されたボルト状の螺動ストッパ２４が基端側から螺合している。２５がその螺合部である。
【００２４】
そして、基端口金９の外端面（即ち、ガイド管の基端面）がストッパ支持部２１Ｂ内において螺動ストッパ２４の先端面に当接し、起上片操作ワイヤ７が螺動ストッパ２４に形成された貫通孔内を通過している。
【００２５】
したがって、図２に示されるように、シリンダ状部材１１をストッパ支持部２１Ｂから外して退避させた状態下において、螺動ストッパ２４を軸線周りに回転させることにより、螺動ストッパ２４が軸線方向に移動（螺動）して基端口金９の外端面に対する当接位置が変化し、ガイドコイル８の基端部分の位置決め状態を容易に再調整することができる。
【図面の簡単な説明】
【００２６】
【図１】本発明の実施例の内視鏡の処置具起上装置のガイド管固定部の正面断面図である。
【図２】本発明の実施例の内視鏡の処置具起上装置のガイド管固定部における位置決めを調整する状態の正面断面図である。
【図３】本発明の実施例の内視鏡の全体構成を示す側面図である。
【図４】本発明の実施例の内視鏡の処置具起上装置の操作部内における構成を示す略示断面図である。
【図５】本発明の実施例の内視鏡の処置具起上装置の図１におけるＶ−Ｖ断面図である。
【図６】本発明の実施例の内視鏡の処置具起上装置の図１におけるVI−VI断面図である。
【符号の説明】
【００２７】
１  挿入部
３  処置具起上片
４  操作部
６  起上片操作レバー
７  起上片操作ワイヤ
８  ガイドコイル（ガイド管）
９  基端口金（ガイド管）
９ａ  耳片（回転止め手段）
２０  ガイド管固定部
２１  ストッパ座
２１Ｂ  ストッパ支持部
２２  スリット
２４  螺動ストッパ
２５  螺合部
【図１】
2006000334.tif 000003
【図２】
2006000334.tif 000004
【図３】
2006000334.tif 000005
【図４】
2006000334.tif 000006
【図５】
2006000334.tif 000007
【図６】
2006000334.tif 000008